【手続補正書】
【提出日】平成18年12月13日(2006.12.13)
【手続補正１】
【補正対象書類名】特許請求の範囲
【補正対象項目名】全文
【補正方法】変更
【補正の内容】
【特許請求の範囲】
【請求項１】
導電性支持体上に少なくとも同一層内に電荷発生物質と電子輸送性高分子化合物を含む感光層を有する電子写真感光体において、該電子輸送性高分子化合物の電子移動度が１×１０−８乃至１×１０−５ｃｍ／Ｖ・ｓｅｃの範囲であること特徴とする電子写真感光体。
【請求項２】
前記感光層に電荷輸送物質を含む電荷輸送層が積層されていることを特徴とする請求項１に記載の電子写真感光体。
【請求項３】
前記電子輸送性高分子化合物が下記式（１）で示される繰り返し構造単位を有することを特徴とする請求項１または２に記載の電子写真感光体。
【化１】
2005189765.tif 000001
（式（１）中、Ｒ１は水素原子またはアルキル基を示し、Ｘ１はアルキレン基、アリーレン基、エーテル基、チオエーテル基、または−ＣＯ−Ｏ−基から構成され、Ａ１は電子輸送能を有する構造単位を示し、ｍは０または１である。）
【請求項４】
前記電子輸送性高分子化合物が下記式（２）で示される繰り返し構造単位を有することを特徴とする請求項１または２に記載の電子写真感光体。
【化２】
2005189765.tif 000002
（式（２）中、Ｘ２はアルキレン基、アリーレン基、エーテル基、チオエーテル基、または−ＣＯ−Ｏ−基から構成され、Ａ２は電子輸送能を有する構造単位を示し、ｎは０または１である。）
【請求項５】
前記式（１）中の電子輸送能を有する構造単位Ａ１または前記式（２）中の電子輸送能を有する構造単位Ａ２が、下記式（３）に示される構造単位であることを特徴とする請求項３または４に記載の電子写真感光体。
【化３】
2005189765.tif 000003
（式（３）中、Ｙは置換基を有してもよいアリール基を示す。）
【請求項６】
前記式（２）中の電子輸送能を有する構造単位Ａ２が、下記式（４）に示される構造単位であることを特徴とする請求項４に記載の電子写真感光体。
【化４】
2005189765.tif 000004
【請求項７】
前記式（１）中の電子輸送能を有する構造単位Ａ１または前記式（２）中の電子輸送能を有する構造単位Ａ２が、下記式（５）に示される構造単位であることを特徴とする請求項３または４に記載の電子写真感光体。
【化５】
2005189765.tif 000005
【請求項８】
前記式（２）中の電子輸送能を有する構造単位Ａ２が、下記式（７）に示される構造単位であることを特徴とする請求項４に記載の電子写真感光体。
【化６】
2005189765.tif 000006
【請求項９】
前記電子輸送性高分子化合物が下記式（８）で示される繰り返し構造単位を有することを特徴とする請求項１または２に記載の電子写真感光体。
【化７】
2005189765.tif 000007
（式（８）中、Ｑは置換基を有してもよいアルキレン基または置換基を有してもよいアリーレン基から構成され、Ｒ２乃至Ｒ５はそれぞれ独立して水素原子、置換基を有してもよいアルキル基、またはハロゲン原子を示す。）
【請求項１０】
電荷発生物質がオキシチタニルフタロシアニン顔料、ヒドロキシガリウムフタロシアニン顔料、及びクロルガリウムフタロシアニン顔料のいずれかであることを特徴とする請求項１乃至９のいずれかに記載の電子写真感光体。
【請求項１１】
電荷発生物質がアゾ顔料であることを特徴とする請求項１乃至９のいずれかに記載の電子写真感光体。
【請求項１２】
請求項１乃至１１のいずれかに記載の電子写真感光体と、帯電手段、像露光手段、現像手段及びクリーニング手段からなる群より選ばれる少なくとも一つの手段とを一体に支持し、且つ、電子写真装置本体に着脱可能であることを特徴とするプロセスカートリッジ。
【請求項１３】
請求項１乃至１１のいずれかに記載の電子写真感光体、帯電手段、像露光手段、現像手段及び転写手段を有することを特徴とする電子写真装置。
【手続補正２】
【補正対象書類名】明細書
【補正対象項目名】００１２
【補正方法】変更
【補正の内容】
【００１２】
（式（１）中、Ｒ１は水素原子またはアルキル基を示し、Ｘ１はアルキレン基、アリーレン基、エーテル基、チオエーテル基、または−ＣＯ−Ｏ−基から構成され、Ａ１は電子輸送能を有する構造単位を示し、ｍは０または１である。）
【手続補正３】
【補正対象書類名】明細書
【補正対象項目名】００１５
【補正方法】変更
【補正の内容】
【００１５】
（式（２）中、Ｘ２はアルキレン基、アリーレン基、エーテル基、チオエーテル基、または−ＣＯ−Ｏ−基から構成され、Ａ２は電子輸送能を有する構造単位を示し、ｎは０または１である。）
【手続補正４】
【補正対象書類名】明細書
【補正対象項目名】００１７
【補正方法】変更
【補正の内容】
【００１７】
【化８】
2005189765.tif 000008
【手続補正５】
【補正対象書類名】明細書
【補正対象項目名】００１８
【補正方法】変更
【補正の内容】
【００１８】
（式（３）中、Ｙは置換基を有してもよいアリール基を示す。）
【手続補正６】
【補正対象書類名】明細書
【補正対象項目名】００１９
【補正方法】変更
【補正の内容】
【００１９】
また、前記式（２）中の電子輸送能を有する構造単位Ａ２が、下記式（４）に示される構造単位である電子写真感光体であることが好ましい。
【手続補正７】
【補正対象書類名】明細書
【補正対象項目名】００２０
【補正方法】変更
【補正の内容】
【００２０】
【化９】
2005189765.tif 000009
【手続補正８】
【補正対象書類名】明細書
【補正対象項目名】００２１
【補正方法】削除
【補正の内容】
【手続補正９】
【補正対象書類名】明細書
【補正対象項目名】００２３
【補正方法】変更
【補正の内容】
【００２３】
【化１０】
2005189765.tif 000010
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】削除
【補正の内容】
【手続補正１３】
【補正対象書類名】明細書
【補正対象項目名】００２７
【補正方法】削除
【補正の内容】
【手続補正１４】
【補正対象書類名】明細書
【補正対象項目名】００２８
【補正方法】変更
【補正の内容】
【００２８】
また、前記式（２）中の電子輸送能を有する構造単位Ａ２が、下記式（７）に示される構造単位である電子写真感光体であることが好ましい。
【手続補正１５】
【補正対象書類名】明細書
【補正対象項目名】００２９
【補正方法】変更
【補正の内容】
【００２９】
【化１１】
2005189765.tif 000011
【手続補正１６】
【補正対象書類名】明細書
【補正対象項目名】００３０
【補正方法】削除
【補正の内容】
【手続補正１７】
【補正対象書類名】明細書
【補正対象項目名】００３３
【補正方法】変更
【補正の内容】
【００３３】
（式（８）中、Ｑは置換基を有してもよいアルキレン基または置換基を有してもよいアリーレン基から構成され、Ｒ２乃至Ｒ５はそれぞれ独立して水素原子、置換基を有してもよいアルキル基、またはハロゲン原子を示す。）